(57)【要約】【課題】更なる斬新な驚きを遊技者に与える。【解決手段】機械式演出装置１３は、表示画面３前方の仮想鉛直面上を回動し得る長尺薄板状の刀部材１２と、非演出時には、刀部材１２を装飾部材５の右側部８の裏側の格納位置に略鉛直状態で保持し、演出時には、刀部材１２を軸部２０回りに所定角度回動し表示画面３前方の露出位置へと変位させる刀部材駆動機構１４とを備える。刀部材駆動機構１４は、刀部材１２に対し回動力を常時加えるスプリング２５と、ステップモータ１５と、演出時にステップモータ１５を動力源として回転するカム３３と、カム３３に当接するカム当接部３１を有するクランク２８であって、非演出時には、刀部材１２を格納位置に保持し、演出時には、刀部材１２を格納位置から露出位置へと回動させるクランク２８とを備える。【選択図】図１
2008200193.tif 000002
【特許請求の範囲】
【請求項１】
遊技盤の中央部に画像式演出装置を備えると共に、該画像式演出装置の表示画面の周縁部前方に装飾部材を備えるパチンコ遊技機において、
前記装飾部材の左側部又は右側部の各下端部付近に軸部を有し、前記表示画面前方の仮想鉛直面上を回動し得る長尺薄板状の演出部材と、
非演出時には、前記演出部材を前記装飾部材の左側部又は右側部の裏側の格納位置に略鉛直状態で保持し、演出時には、前記演出部材を前記軸部回りに所定角度回動し前記表示画面前方の露出位置へと変位させる演出部材駆動機構と
を備え、
前記演出部材駆動機構は、
前記演出部材に対し前記回動方向の回動力を常時加える弾性部材と、
電動回転機と、
演出時に前記電動回転機を動力源として回転するカムと、
前記カムに当接するカム当接部と前記演出部材にピン結合されるピン結合部位とを有するクランクであって、非演出時には、前記カム当接部が基準回転角度位置にあるカムと当接状態に保持され、前記弾性部材の前記回動力と等しい反対方向の保持力を前記ピン結合部位を介して前記演出部材に加え、該演出部材を前記格納位置に保持し、演出時には、前記カムの回転に伴う前記カム当接部の変位により、前記保持力を減少させ、前記演出部材を前記格納位置から前記露出位置へと回動させるクランクと
を備えることを特徴とするパチンコ遊技機の機械式演出装置。
【請求項２】
前記格納位置から前記露出位置へと回動してきた演出部材を受け止める弾性受部材を備え、該弾性受部材は、前記演出部材の衝撃力を緩和させて受け止めることを特徴とする請求項１に記載のパチンコ遊技機の機械式演出装置。
【請求項３】
前記弾性受部材は傾斜面を有し、前記演出部材が前記弾性受部材によって受け止められるとき、前記演出部材は、前記露出位置直前で前記傾斜面と平行に近い角度で接触開始することを特徴とする請求項２に記載のパチンコ遊技機の機械式演出装置。
【請求項４】
前記演出時における前記保持力の減少は瞬間的であり、前記演出部材は、前記格納位置から前記露出位置へ瞬間的に回動することを特徴とする請求項１〜３のいずれかに記載のパチンコ遊技機の機械式演出装置。
【請求項５】
前記カムは、所定回転角度範囲で交互に正転及び逆転され、前記演出部材は、前記カムの正転及び逆転に伴い揺動動作を行うことを特徴とする請求項１〜４のいずれかに記載のパチンコ遊技機の機械式演出装置。
【請求項６】
前記演出部材は、刀を模った刀部材であることを特徴とする請求項１〜５のいずれかに記載のパチンコ遊技機の機械式演出装置。
【請求項７】
前記電動回転機はステップモータであることを特徴とする請求項１〜６のいずれかに記載のパチンコ遊技機の機械式演出装置。
【発明の詳細な説明】
【技術分野】
【０００１】
本発明は、パチンコ遊技機の機械式演出装置、詳しくは、画像式演出装置の液晶画面等で行われる画像演出に合せて演出部材によって演出を行う機械式演出装置に関する。
【背景技術】
【０００２】
昨今のパチンコ遊技機は、画像式演出装置の液晶画面の大型化に伴い、迫力のある画像表現を用いることで様々な驚きを与えるように構成されている。
【０００３】
しかし、画像表現のみを用いるよりも、実際の構造物いわゆるギミックといわれる演出部材（可動物）を作動する機械式演出装置を設け、この演出部材の動作と画像表現とを合せて用いる手法（例えば、特許文献１〜３参照）の方が、より効果的で斬新な驚きを遊技者に与えることができる。
【特許文献１】特開２００３−２３６０８８公報
【特許文献２】特開２００４−１２９８９２公報
【特許文献３】特開２００５−４０４４１公報
【発明の開示】
【発明が解決しようとする課題】
【０００４】
本発明は、演出部材と画像表現を合せて用いる手法を採用するパチンコ遊技機において、従来と異なる新規な構成により、更なる斬新な驚きを遊技者に与えることができる機械式演出装置を提供することを目的とする。
【課題を解決するための手段】
【０００５】
本発明によるパチンコ遊技機の機械式演出装置は、遊技盤の中央部に画像式演出装置を備えると共に、該画像式演出装置の表示画面の周縁部前方に装飾部材を備えるパチンコ遊技機において、前記装飾部材の左側部又は右側部の各下端部付近に軸部を有し、前記表示画面前方の仮想鉛直面上を回動し得る長尺薄板状の演出部材と、非演出時には、前記演出部材を前記装飾部材の左側部又は右側部の裏側の格納位置に略鉛直状態で保持し、演出時には、前記演出部材を前記軸部回りに所定角度回動し前記表示画面前方の露出位置へと変位させる演出部材駆動機構とを備え、前記演出部材駆動機構は、前記演出部材に対し前記回動方向の回動力を常時加える弾性部材と、電動回転機と、演出時に前記電動回転機を動力源として回転するカムと、前記カムに当接するカム当接部と前記演出部材にピン結合されるピン結合部位とを有するクランクであって、非演出時には、前記カム当接部が基準回転角度位置にあるカムと当接状態に保持され、前記弾性部材の前記回動力と等しい反対方向の保持力を前記ピン結合部位を介して前記演出部材に加え、該演出部材を前記格納位置に保持し、演出時には、前記カムの回転に伴う前記カム当接部の変位により、前記保持力を減少させ、前記演出部材を前記格納位置から前記露出位置へと回動させるクランクとを備えることを特徴とする。
【０００６】
本発明の機械式演出装置において、非演出時には、クランクのカム当接部が基準回転角度位置にあるカムと当接状態に保持され、弾性部材の回動力と等しい反対方向の保持力が演出部材に加えられおり、演出部材は格納位置に保持される。一方、演出時には、カムの回転に伴いクランクのカム当接部が変位し、この変位により保持力が減少し、演出部材は、格納位置から露出位置へと回動する。この演出部材の回動は、車両のフロントガラスをスイープするワイパーブレードの動作に似た動作であり、演出部材は、装飾部材の側部から表示画面前方へと表示画面を部分的に横切るように移動する。このような演出部材の動作は、遊技者に対して斬新な驚きを与えることとなる。また、演出部材の回動は、カムの形状に基づいて行われるため、ギヤを用いて演出部材を回動させる場合と比べ、始動から停止まで連続的で滑らかな回動動作を実現することができる。
【０００７】
機械式演出装置は、前記格納位置から前記露出位置へと回動してきた演出部材を受け止める弾性受部材を備え、該弾性受部材は、前記演出部材の衝撃力を緩和させて受け止める。弾性受部材は、演出部材の衝撃力を緩和するため、演出部材の回動速度を増大させても、演出部材が弾性受部材から受ける反力によってバウンドする不具合を防止でき、演出部材は露出位置まで安定して移動することができる。
【０００８】
また、前記弾性受部材は傾斜面を有し、前記演出部材が前記弾性受部材によって受け止められるとき、前記演出部材は、前記露出位置直前で前記傾斜面と平行に近い角度で接触開始する。このため、演出部材は傾斜面に対して殆ど抵抗なしに接触開始するようになり、傾斜面に加わる演出部材の衝撃力は緩和されるようになる。
【０００９】
また、前記演出時における前記保持力の減少は瞬間的であり、前記演出部材は、前記格納位置から前記露出位置へ瞬間的に回動する。演出部材が格納位置から露出位置へ瞬間的に回動することにより、演出部材がゆっくりと露出位置へ回動する場合と比べ遊技者に与えるインパクトが大きなものとなる。なお、保持力の瞬間的な減少は、クランクのカム当接部とカムとの当接状態を非当接状態へと瞬間的に変化させることができるようにカムの形状を予め設定しておくことによって容易に実現することができる。
【００１０】
また、前記カムは、所定回転角度範囲で交互に正転及び逆転され、前記演出部材は、前記カムの正転及び逆転に伴い揺動動作を行う。演出部材が表示画面の前方で揺動することによっても遊技者に斬新な驚きを与えることができる。この演出部材の揺動は、カムとクランクのカム当接部とを当接状態を維持しながらカム当接部を往復変位させることによって実現されるため、円滑なものとなる。
【００１１】
また、前記演出部材は、刀を模った刀部材である。演出部材が刀部材である場合、刀部材の動作は、刀を振り下ろす動作に相当するものとなり、今まで見えなかった刀が突然目の前に振り下ろされる様を見て、遊技者は大いに驚くことになるであろう。
【００１２】
また、前記電動回転機はステップモータである。ステップモータを使用することにより、円滑かつ高精度な位置制御を容易に行うことができる。
【発明を実施するための最良の形態】
【００１３】
以下、本発明の実施形態を図面に基づいて説明する。
【００１４】
図１は、本発明の一実施形態に係る機械式演出装置が組み込まれたパチンコ遊技機の遊技盤の正面図、図２は、格納位置にある刀部材及び刀部材駆動機構を正面図として表した機械式演出装置の全体構成図、図３は、格納位置にある刀部材及び刀部材駆動機構の背面図、図４は、露出位置にある刀部材及び刀部材駆動機構の正面図、図５は、露出位置にある刀部材及び刀部材駆動機構の背面図、図６（A）は刀部材の要部斜視図、図６（B）は弾性受部の要部斜視図、図６（C）は、弾性受部の作用説明図、図７は、刀部材の揺動動作を説明するための刀部材及び刀部材駆動機構の背面図、図８は、ステップモータによる刀部材の位置制御を説明するための説明図、図９は、刀部材の揺動動作時におけるステップモータの回転動作を示すタイミングチャート、図１０は、花飾りの通常時の正面図、図１１は、同花飾りの通常時の背面図、図１２は、同花飾りの作動時の正面図、図１３は、同花飾りの作動時の背面図、図１４は、手飾りの通常時の正面図、図１５は、同手飾りの通常時の背面図、図１６は、同手飾りの作動時の正面図、図１７は、同手飾りの作動時の背面図をそれぞれ示す。
【００１５】
図１において、パチンコ遊技機は、遊技盤１の中央部に画像式演出装置２の表示画面３を備える。画像式演出装置２は、周知のように、遊技が行われていないときに客待ち画面を表示したり、始動入賞口４への遊技球の入賞を契機として取得した乱数に対応して、図柄を変動表示し、リーチの発生を予告するリーチ予告演出、相対的に大当たり信頼度の低いノーマルリーチ演出、大当たり信頼度の高いスーパーリーチ演出、大当たり発生時の大当たり演出、ハズレ演出など各種演出を画像表示するものである。なお、このようなパチンコ遊技機には、相対的に低確率で大当たりが発生する通常遊技状態と、高確率で大当たりが発生する確変遊技状態、時短遊技状態など特別遊技状態がある。
【００１６】
表示画面３の周縁部前方には、装飾部材５が配設される。装飾部材５は、枠形状をしており、上部の前面には「歌舞伎剣」なる文字を表現した上側装飾部６が配されている。上側装飾部６の左端部には、作動可能な花飾り７が吊り下げられている。装飾部材５の右側部８には、歌舞伎役者の顔ないし頭部と手を模った半透明の人形部材が設けられている。人形部材の手の部分は、作動可能な手飾り９である。装飾部材５の下部は、遊技球に主として横方向の流動的な動きの変化を与えるステージ１０を構成している。
【００１７】
ステージ１０の左右方向中央部の下方には、始動入賞口４が配置されている。始動入賞口４に遊技球が入賞すると、主制御基板１８（図２）において乱数が取得され、上述したように、取得した乱数に基づいた各種演出が表示画面３で画像表示される。始動入賞口４の下方には、大当たり発生時に所定ラウンド数だけ間欠的に開放状態となり、多数の遊技球の入賞を可能にする大入賞口１１が配置されている。
【００１８】
装飾部材５の右側部つまり人形部材の裏面側には、刀を模った刀部材つまり長尺薄板状の演出部材１２が正面からは見えない状態（図示破線で示す状態）で配されている。この刀部材１２の位置を演出部材の格納位置という。刀部材１２は、機械式演出装置１３の構成要素である。刀部材１２は、装飾部材５の右側部の下端部付近を回転中心として、表示画面前方の仮想鉛直面上を反時計方向へ回動可能である。刀部材１２は、画像式演出装置２の演出に合わせて格納位置から図示二点鎖線で示す露出位置へと瞬間的に回動し、あたかも刀が瞬時に振り下ろされたかのような演出を行う。露出位置まで回動した刀部材１２は、その後、時計方向へ回動し、格納位置まで戻る。また、刀部材１２は、後述するように、所定条件下で表示画面３の前方において揺動動作を行う。
【００１９】
図２において、機械式演出装置１３は、上記刀部材１２と、刀部材１２を駆動する刀部材駆動機構１４と、刀部材駆動機構１４のステップモータつまり電動回転機１５の回転を制御するランプ制御基板１６と、ランプ制御基板１６にランプ制御信号を出力する演出制御基板１７と、演出制御基板１７に演出制御信号を出力する主制御基板１８とを備えて構成される。
【００２０】
刀部材１２は、半透明のプラスチック材からなり、多数の発光ダイオード１９を内蔵する。刀部材１２は、発光ダイオード１９の点滅パターンや発光色により、色彩的に変化可能である。刀部材１２の根元部には、装飾部材５側つまり固定側に設けられた軸部２０が挿通され、刀部材１２は、軸部２０を中心に回転可能とされている。また、刀部材１２の根元部付近であって、軸部２０付近の部位には、図６（A）に示すような凹部２１が形成されている。凹部２１は、刀部材１２が露出位置まで回動したとき、装飾部材５側つまり固定側に設けられた図６（B）に示すような弾性受部材２２と係合した状態となる。具体的には、刀部材１２が露出位置直前（図６（B）において二点鎖線で示した位置）まで回動したとき、凹部２１は、図６（C）に示すように、弾性受部材２２の傾斜面２３と平行に近い角度で接触開始し、その後の弾性受部材２２の弾性変形により傾斜面２３と圧接状態となる。また、刀部材１２の根元部であって、軸部２０を通る仮想鉛直線に対して回動方向側に位置する部位には係止爪２４が設けられており、係止爪２４には、刀部材１２を回動させる方向の弾性力を刀部材１２に常時加えているスプリングつまり弾性部材２５の一端部が係止される。スプリング２５の他端部は、装飾部材５側つまり固定側に係止されている。
【００２１】
刀部材駆動機構１４は、刀部材１２の根元部に固着されたレバー２６を備える。レバー２６の一端部は、軸部２０に対して回動自在に装着されており、レバー２６は、係止爪２４から離れる方向に延びている。レバー２６の他端部にピン２７が設けられている。ピン２７は、クランク２８の一端部に形成された長孔２９内に、その長手方向に移動可能に挿通されている。クランク２８の他端部は、図３に示すように、装飾部材５側つまり固定側に設けられた軸部３０に対して回動可能に装着されている。クランク２８は、一端部と他端部との中間部に、カム当接部３１を有する。カム当接部３１は、カムギヤ３２に固着されたカム３３のカム面と当接している。カムギヤ３２は、ステップモータ１５の出力軸に固着された駆動ギヤ３４と噛み合っており、カムギヤ３２は駆動ギヤ３４よりも大径であり、減速機構を構成している。カム面は、図３に示すように、大径円弧面３５と、小径円弧面３６と、大径円弧面３５の一端部と小径円弧面３６の一端部を繋ぐ垂直面３７と、大径円弧面３５の他端部と小径円弧面３６の他端部を繋ぐつるまき状の凸曲面３８とにより構成される。装飾部材５側つまり固定側には、カム３３の基準回転角度位置を検出するための位置検出手段例えばフォトセンサ３９が設けられている。フォトセンサ３９は、カムギヤ３２の端面に配設された位置検出板４０に突設された突起４１を検出することによってカム３３の基準回転角度位置を検出する。このフォトセンサ３９の検出信号は、ランプ制御基板１６に入力される。
【００２２】
次に、上記のように構成される機械式演出装置１３の動作を説明する。
【００２３】
通常時、刀部材１２は、図２及び図３に示すような略鉛直な状態、あるいは、図８（A）に示すような僅かに前傾した略鉛直な状態にあり、装飾部材５の裏側の格納位置にある。刀部材１２が、図８（A）に示すような状態の格納位置にある状態では、クランク２８のカム当接部３１は、図３に示すように、カム３３の大径円弧面３５の直前のつるまき状の凸曲面３８と当接状態にあり、スプリング２５が刀部材１２に加えている図３図示矢印a方向のトルクと、カム３３がクランク２８及びレバー２６を介して刀部材１２に加えている図３図示b方向のトルク（保持力）とが釣り合い、刀部材１２は停止している。
【００２４】
画像式演出装置２の表示画面３における画像演出に合わせ、主制御基板１８が演出制御基板１７に演出制御信号を出力すると、ランプ制御基板１６からのランプ制御信号に従い、ステップモータ１５は回転を開始する。ステップモータ１５が回転を開始すると、駆動ギヤ３４及びカムギヤ３２を介してカム３３が回転を開始し、カム３３が基準回転角度位置から例えば２０．２４°の回転角度位置まで回転したとき、クランク２８のカム当接部３１はカム３３の凸曲面３８から離れて大径円弧面３５と当接するようになる。このため、刀部材１２は、図８（A）図示の前傾状態から図８（B）図示の鉛直状態へとテイクバックする。その後、カム３３が基準回転角度位置から例えば１３７．６°の回転角度位置まで回転したとき、クランク２８のカム当接部３１はカム３３の大径円弧面３５から離れ垂直面３７を経て小径円弧面３６と瞬時に接近するようになる。このクランク２８のカム当接部３１の変位により、刀部材１２に加わっていた図３図示a方向のトルクと図３図示b方向のトルク（保持力）の釣り合いが瞬間的にくずれ、スプリング２５の弾性力による図３図示a方向のトルクが勝り、刀部材１２は、瞬時にもしくは比較的短時間で図８（C）に二点鎖線で示すように露出位置まで約９０°回動する。換言すると、刀部材１２は、格納位置から露出位置へと瞬間的に振り下ろされ、図４及び図５に示す状態になる。刀部材１２が振り下ろされたとき、刀部材１２が露出位置直前（図６（B）において二点鎖線で示した位置）まで回動したとき、刀部材１２の凹部２１は、弾性受部材２２の傾斜面２３と平行に近い角度で接触開始し、その後の弾性受部材２２の弾性変形により傾斜面２３と圧接状態となる。このため、刀部材１２の衝撃力は弾性受部材２２によって緩和され、刀部材１２の回動速度を増大させても、刀部材１２が弾性受部材２２から受ける反力によってバウンドする不具合を防止でき、刀部材１２は露出位置まで安定して移動することができる。その後、カム３３が基準回転角度位置から例えば２５３．８４°の回転角度位置まで回転したとき、クランク２８のカム当接部３１はカム３３の小径円弧面３６から離れつるまき状の凸曲面３８と当接開始するようになり、刀部材１２はスプリング２５の弾性力に抗して図３図示b方向へ比較的ゆっくりと振り上げられ、図８（D）に二点鎖線で示すようにテイクバック位置まで戻り、さらにカム３３が基準回転角度位置まで回転したとき、図８（A）図示の格納位置に戻る。ここで、ステップモータ１５は、フォトセンサ３９が位置検出板の突起４１を検出したとき、回転を停止する。
【００２５】
このように、刀部材１２は、格納位置から表示画面３の前方下部の露出位置まで瞬間的に振り下ろされる。このため、遊技者は、このような刀部材１２の動作に驚きをもつ。
【００２６】
次に、刀部材１２の他の動作例として、刀部材１２を比較的ゆっくり振り下ろす場合を説明する。この場合、ステップモータ１５を上記のように正転させるのでなく上記とは反対方向へ逆転させる。このステップモータ１５の逆転により、クランク２８のカム当接部３１は、カム３３のつるまき状の凸曲面３８上を移動するようになるため、刀部材１２は比較的ゆっくりと振り下ろされる動作をする。
【００２７】
また、刀部材１２のさらに他の動作例として、刀部材１２を揺動動作させる。この場合、ステップモータ１５を逆転させクランク２８のカム当接部３１がカム３３のつるまき状の凸曲面３８と当接しているときに、ステップモータ１５を正転させ、次に逆転させ、さらに正転させ、次に逆転させるというように、小刻みにステップモータ１５の回転方向を切替える制御を行う。この制御を行うことにより、刀部材１２は、図７に実線と二点鎖線で示した２つの状態をとり得るようになり、刀部材１２は、表示画面３の前方で揺動動作をする。このように刀部材１２を揺動動作させるにあたっては、図９に示すように、ステップモータ１５を励磁状態に保つ停止期間を設けることが刀部材１２に安定した揺動動作をさせる上で望ましい。
【００２８】
また、上記のような刀部材１２の動作と共に、図１０〜図１３に示すように、花飾り７をソレノイド５１とバネ５２とクランク５３を用いて軸５４を中心として回動させるようにしてもよい。花飾り７は、通常時には、ソレノイド５１が非作動状態にあり、バネ５２の弾性力によって図１０及び図１１に示すように垂直状態に維持される。ソレノイド５１が作動すると、バネ５２は圧縮状態へと変位し、クランク５３を介して軸５４が回動し、花飾り７は、図１２及び図１３に示すように傾斜状態へと変位する。
【００２９】
また、上記のような刀部材１２の動作と共に、図１４〜図１７に示すように、手飾り９をモータ６１と第１ギヤ６２と第２ギヤ６３とクランク６４と第３ギヤ６５とスイッチ６６を用いて作動させるようにしてもよい。手飾り９は、通常時には、図１４及び図１５に示すように停止状態に維持される。モータ６１が通電されると、モータ６１は順回転し、第１、第２、第３ギヤ６１、６２、６３及びクランク６４を介して手飾り９が図１６及び図１７に示すように作動し、スイッチ６６が第２ギヤ６３を感知するとモータ６１への通電が停止され、手飾り９が停止する。
【００３０】
なお、刀部材１２は、装飾部材の右側部ではなく左側部側に設け、上記と同様に、表示画面の前方下部に露出させるようにしてもよい。
【００３１】
以上説明したように、本実施形態によるパチンコ遊技機の機械式演出装置１３は、遊技盤１の中央部に画像式演出装置２を備えると共に、画像式演出装置２の表示画面３の周縁部前方に装飾部材５を備えるパチンコ遊技機において、装飾部材５の左側部又は右側部８の各下端部付近に軸部２０を有し、表示画面３前方の仮想鉛直面上を回動し得る長尺薄板状の刀部材（演出部材）１２と、非演出時には、刀部材１２を装飾部材５の左側部又は右側部８の裏側の格納位置に略鉛直状態で保持し、演出時には、刀部材１２を軸部２０回りに所定角度回動し表示画面３前方の露出位置へと変位させる刀部材駆動機構（演出部材駆動機構）１４とを備え、刀部材駆動機構１４は、刀部材１２に対し回動方向aの回動力を常時加えるスプリング（弾性部材）２５と、ステップモータ（電動回転機）１５と、演出時にステップモータ１５を動力源として回転するカム３３と、カム３３に当接するカム当接部３１と刀部材１２にピン結合されるピン２７及び長孔２９（ピン結合部位）とを有するクランク２８であって、非演出時には、カム当接部３１が基準回転角度位置にあるカム３３と当接状態に保持され、スプリング２５の回動力と等しい反対方向bの保持力をピン結合部位２７、２９を介して刀部材１２に加え、刀部材１２を格納位置に保持し、演出時には、カム３３の回転に伴うカム当接部３１の変位により、保持力を減少させ、刀部材１２を格納位置から露出位置へと回動させるクランク２８とを備える。
【００３２】
本実施形態の機械式演出装置１３において、非演出時には、クランク２８のカム当接部３１が基準回転角度位置にあるカム３３と当接状態に保持され、スプリング２５の回動力と等しい反対方向の保持力が刀部材１２に加えられおり、刀部材１２は格納位置に保持される。一方、演出時には、カム３３の回転に伴いクランク２８のカム当接部３１が変位し、この変位により保持力が減少し、刀部材１２は、格納位置から露出位置へと回動する。この刀部材１２の回動は、車両のフロントガラスをスイープするワイパーブレードの動作に似た動作であり、刀部材１２は、装飾部材５の側部８から表示画面３前方へと表示画面３を部分的に横切るように移動する。このような刀部材１２の動作は、遊技者に対して斬新な驚きを与えることとなる。また、刀部材１２の回動は、カム３３の形状に基づいて行われるため、ギヤを用いて刀部材１２を回動させる場合と比べ、始動から停止まで連続的で滑らかな回動動作を実現することができる。
【００３３】
また、機械式演出装置１３は、格納位置から露出位置へと回動してきた刀部材１２を受け止める弾性受部材２２を備え、弾性受部材２２は、刀部材１２の衝撃力を緩和させて受け止める。弾性受部材２２は、刀部材１２の衝撃力を緩和するため、刀部材１２の回動速度を増大させても、刀部材１２が弾性受部材から受ける反力によってバウンドする不具合を防止でき、刀部材１２は露出位置まで安定して移動することができる。
【００３４】
また、弾性受部材２２は傾斜面２３を有し、刀部材１２が弾性受部材２２によって受け止められるとき、刀部材１２は、露出位置直前で傾斜面２３と平行に近い角度で接触開始する。このため、刀部材１２は傾斜面２３に対して殆ど抵抗なしに接触開始するようになり、傾斜面２３に加わる刀部材１２の衝撃力は緩和されるようになる。
【００３５】
また、演出時における保持力の減少は瞬間的であり、刀部材１２は、格納位置から露出位置へ瞬間的に回動する。刀部材１２が格納位置から露出位置へ瞬間的に回動することにより、刀部材１２がゆっくりと露出位置へ回動する場合と比べ遊技者に与えるインパクトが大きなものとなる。なお、保持力の瞬間的な減少は、クランク２８のカム当接部３１とカム３３との当接状態を非当接状態へと瞬間的に変化させることができるようにカム３３の形状を予め設定しておくことによって容易に実現することができる。
【００３６】
また、カム３３は、所定回転角度範囲で交互に正転及び逆転され、刀部材１２は、カム３３の正転及び逆転に伴い揺動動作を行う。刀部材１２が表示画面３の前方で揺動することによっても遊技者に斬新な驚きを与えることができる。この刀部材１２の揺動は、カム３３とクランク２８のカム当接部３１とを当接状態を維持しながらカム当接部３１を往復変位させることによって実現されるため、円滑なものとなる。
【００３７】
また、刀部材１２は、刀を模っているため、今まで見えなかった刀が突然目の前に振り下ろされる様を見て、遊技者は大いに驚くことになるであろう。
【００３８】
また、ステップモータ１５を使用したため、円滑かつ高精度な位置制御を容易に行うことができる。
【００３９】
また、画像式演出装置内にも動画像として揺動演出を再生させ、この揺動演出に連動しかつ刀部材１２の揺動に合せて花飾り７も揺動させることにより、画像式演出装置を内部に備えた装飾部材５自体があたかも揺れているかのような表現をさせることができる。
【００４０】
また、刀部材１２の動作に合わせて手飾り９が動作することにより、歌舞伎役者が見得を切る姿をリアルに表現することができる。
【図面の簡単な説明】
【００４１】
【図１】本発明の一実施形態に係る機械式演出装置が組み込まれたパチンコ遊技機の遊技盤の正面図である。
【図２】格納位置にある刀部材及び刀部材駆動機構を正面図として表した機械式演出装置の全体構成図である。
【図３】格納位置にある刀部材及び刀部材駆動機構の背面図である。
【図４】露出位置にある刀部材及び刀部材駆動機構の正面図である。
【図５】露出位置にある刀部材及び刀部材駆動機構の背面図である。
【図６】（A）は刀部材の要部斜視図、（B）は弾性受部の要部斜視図、（C）は弾性受部の作用説明図である。
【図７】刀部材の揺動動作を説明するための刀部材及び刀部材駆動機構の背面図である。
【図８】ステップモータによる刀部材の位置制御を説明するための説明図である。
【図９】刀部材の揺動動作時におけるステップモータの回転動作を示すタイミングチャートである。
【図１０】花飾りの通常時の正面図である。
【図１１】同花飾りの通常時の背面図である。
【図１２】同花飾りの作動時の正面図である。
【図１３】同花飾りの作動時の背面図である。
【図１４】手飾りの通常時の正面図である。
【図１５】同手飾りの通常時の背面図である。
【図１６】同手飾りの作動時の正面図である。
【図１７】同手飾りの作動時の背面図である。
【符号の説明】
【００４２】
１    遊技盤
２    画像式演出装置
３    表示画面
５    装飾部材
８    右側部
１２    刀部材（演出部材）
１３    機械式演出装置
１４    刀部材駆動機構（演出部材駆動機構）
１５    ステップモータ（電動回転機）
２０    軸部
２２    弾性受部材
２３    傾斜面
２５    スプリング（弾性部材）
２７    ピン（ピン結合部位）
２８    クランク
２９    長孔（ピン結合部位）
３１    カム当接部
３３    カム
【図１】
2008200193.tif 000003
【図２】
2008200193.tif 000004
【図３】
2008200193.tif 000005
【図４】
2008200193.tif 000006
【図５】
2008200193.tif 000007
【図６】
2008200193.tif 000008
【図７】
2008200193.tif 000009
【図８】
2008200193.tif 000010
【図９】
2008200193.tif 000011
【図１０】
2008200193.tif 000012
【図１１】
2008200193.tif 000013
【図１２】
2008200193.tif 000014
【図１３】
2008200193.tif 000015
【図１４】
2008200193.tif 000016
【図１５】
2008200193.tif 000017
【図１６】
2008200193.tif 000018
【図１７】
2008200193.tif 000019